(57)【要約】【課題】  本来最終退室状態の判断を行うコントローラが停止しても、最終退室機能を実行することなどが可能な入退室管理システムを提供する。【解決手段】  部屋への入退出者を計数する複数の計数装置１、２と、最終退室機能を行う制御盤３とを備え、各々の計数装置は、自計数装置にて入退室操作が実行されたときに、入室・退室データを通知する通知先の計数装置を登録する入退室通知先計数装置登録手段１１、２１と、入室・退室データを入退室通知先計数装置に登録されている計数装置に通知する他計数装置宛入退室通知手段１２、２２と、自計数装置及び他計数装置からの入室・退室通知を基に最終退室状態か否かを判断する最終退室判断手段１４、２４と、最終退室判断手段が最終退室状態と判断したときに、制御盤に対して最終退室制御を行うように指示する最終退室指示送出手段１５、２５を備える入退室管理システム。【選択図】  図１
2006236164.tif 000002
【特許請求の範囲】
【請求項１】
部屋の出入口に設置され、該部屋への入退出者を計数する複数の計数装置と、最終退室機能を行うための制御盤と、該制御盤と前記計数装置とを接続する接続手段とを備える入退室管理システムであって、
前記複数の計数装置の各々は、
自計数装置にて入退室操作が実行されたときに、入室・退室データを通知する通知先の計数装置を登録する入退室通知先計数装置登録手段と、
自計数装置にて入退室操作が実行されたときに、入室・退室データを前記入退室通知先計数装置に登録されている計数装置に通知する他計数装置宛入退室通知手段と、
自計数装置における入退室操作と他計数装置からの入室・退室通知を基に、自計数装置が設置されている部屋が最終退室状態か否かを判断する最終退室判断手段と、
該最終退室判断手段が最終退室状態と判断したときに、前記制御盤に対して最終退室制御を行うように指示する最終退室指示送出手段を備えることを特徴とする入退室管理システム。
【請求項２】
前記計数装置には該部屋の利用者の各々の個人情報が記録され、該部屋の利用者が該部屋への入退出を行う際に、該利用者の個人情報と前記計数装置に記録された個人情報が一致した場合にのみ、該部屋への入退出を許可することを特徴とする請求項１に記載の入退室管理システム。
【請求項３】
前記計数装置は、該部屋の利用者の個人情報を記録したカードリーダであって、該部屋の利用者が該部屋への入退出を行う際に、自己の個人情報が記録されたカードを読み込ませることによって、個人情報の一致又は不一致を判定することを特徴とする請求項２に記載の入退室管理システム。
【請求項４】
該入退室管理システムは、前記複数の計数装置からの入室・退室通知を基に最終退室状態か否かの判断を含む動作を行うコントローラと、該コントローラと前記複数の計数装置の各々とを接続する接続手段と、該コントローラと前記制御盤とを接続する接続手段とを備え、
前記複数の計数装置の各々は、さらに、該計数装置から前記コントローラに対して定期的にメッセージを送信し、前記コントローラから応答がなければ前記コントローラが停止状態にあると判断するコントローラ停止状態判断手段を備え、前記最終退室判断手段は、前記コントローラが停止状態にあり、かつ、自計数装置が設置されている部屋が最終退室状態であるときに、前記制御盤に対して最終退室制御を行うように指示することを特徴とする請求項１、２又は３に記載の入退室管理システム。
【発明の詳細な説明】
【技術分野】
【０００１】
本発明は、入退室管理システムに関し、特に、照明制御、空調制御、侵入監視制御等の最終退室機能を行うための入退室管理システムに関する。
【背景技術】
【０００２】
多数の人が利用する部屋から最後に退出する者は、部屋内に自分以外の者がすべて退出したことを確認し、照明制御、空調制御、侵入監視制御等の最終退室機能を実施することが必要である。そこで、例えば、特許文献１に記載の入退室管理装置は、図２に示すように、部屋の出入口に設置され、部屋の利用者が入室・退室時にＩＤカードを読ませる個人識別装置としてのカードリーダ１、２と、照明・空調・侵入監視制御を行うための制御盤３と、カードリーダ１、２からの入室・退室通知を基に最終退室か否かの判断を行うコントローラ４と、カードリーダ１、２とコントローラ４を接続する接続手段５と、制御盤３とコントローラ４を接続する接続手段６を備える。
【０００３】
上記構成により、ある部屋に設置されているカードリーダ１、２で退室操作が行われると、該カードリーダ１、２は、接続手段５を介してコントローラ４に退室を通知し、コントローラ４は、退室通知を基に該当する部屋が最終退室か否かを判断し、最終退室の場合には、接続手段６を介して制御盤３に最終退室制御を行うように指示し、制御盤３は、該当する部屋の照明をＯＮからＯＦＦ、空調をＯＮからＯＦＦ、侵入監視センサを非警戒から警戒に移行させる。ここで、コントローラ４は、部屋単位に入退室操作をカウントするためのカウンタを備え、カードリーダ１、２から入室・退室通知を受けたときに、該当する部屋のカウンタをカウントアップ又はカウントダウンして、カウンタが‘０’である場合には、該当する部屋が最終退室状態（在室者がいない状態）と判断する。
【０００４】
【特許文献１】特開２００４−５４５１８号公報
【発明の開示】
【発明が解決しようとする課題】
【０００５】
しかし、上記従来の入退室管理装置等においては、コントローラが障害等により停止すると、照明制御、空調制御、侵入監視制御等の最終退室機能を実行することができないという問題があった。
【０００６】
そこで、本発明は、上記従来の入退室管理システムにおける問題点に鑑みてなされたものであって、コントローラが停止しても最終退室機能を実行することなどが可能な入退室管理システムを提供することを目的とする。
【課題を解決するための手段】
【０００７】
上記目的を達成するため、本発明は、部屋の出入口に設置され、該部屋への入退出者を計数する複数の計数装置と、最終退室機能を行うための制御盤と、該制御盤と前記計数装置とを接続する接続手段とを備える入退室管理システムであって、前記複数の計数装置の各々は、自計数装置にて入退室操作が実行されたときに、入室・退室データを通知する通知先の計数装置を登録する入退室通知先計数装置登録手段と、自計数装置にて入退室操作が実行されたときに、入室・退室データを前記入退室通知先計数装置に登録されている計数装置に通知する他計数装置宛入退室通知手段と、自計数装置における入退室操作と他計数装置からの入室・退室通知を基に、自計数装置が設置されている部屋が最終退室状態か否かを判断する最終退室判断手段と、該最終退室判断手段が最終退室状態と判断したときに、前記制御盤に対して最終退室制御を行うように指示する最終退室指示送出手段を備えることを特徴とする。
【０００８】
そして、本発明によれば、部屋の出入口に設置され、該部屋への入退出者を計数する複数の計数装置のみによって、自計数装置が設置されている部屋が最終退室状態か否かを判断し、制御盤に対して最終退室制御を行うように指示することができるため、従来のように、最終退室状態か否かなどの判断を含む種々の機能を有するコントローラを介することなく、照明制御、空調制御、侵入監視制御等の最終退室機能を実施することが可能となる。
【０００９】
前記入退室管理システムにおいて、前記計数装置には該部屋の利用者の各々の個人情報が記録され、該部屋の利用者が該部屋への入退出を行う際に、該利用者の個人情報と前記計数装置に記録された個人情報が一致した場合にのみ、該部屋への入退出を許可するようにすることができる。
【００１０】
また、前記入退室管理システムにおいて、前記計数装置を、該部屋の利用者の個人情報を記録したカードリーダとし、該部屋の利用者が該部屋への入退出を行う際に、自己の個人情報が記録されたカードを読み込ませることによって、個人情報の一致又は不一致を判定するようにすることもできる。
【００１１】
さらに、前記入退室管理システムは、前記複数の計数装置からの入室・退室通知を基に最終退室状態か否かの判断を含む動作を行うコントローラと、該コントローラと前記複数の計数装置の各々とを接続する接続手段と、該コントローラと前記制御盤とを接続する接続手段とを備え、前記複数の計数装置の各々は、さらに、該計数装置から前記コントローラに対して定期的にメッセージを送信し、前記コントローラから応答がなければ前記コントローラが停止状態にあると判断するコントローラ停止状態判断手段を備え、前記最終退室判断手段は、前記コントローラが停止状態にあり、かつ、自計数装置が設置されている部屋が最終退室状態であるときに、前記制御盤に対して最終退室制御を行うように指示するようにすることもできる。これによって、本来コントローラを用いて最終退室状態の判断を行っている入退室管理システムにおいて、コントローラが停止しても最終退室機能を実行することが可能となる。
【発明の効果】
【００１２】
以上のように、本発明によれば、本来最終退室状態の判断を行うコントローラが停止しても、最終退室機能を実行することなどが可能となる。
【発明を実施するための最良の形態】
【００１３】
図１は、本発明にかかる入退室管理システムの一実施の形態を示し、この入退室管理システムは、部屋の出入口に設置され、部屋の利用者が入室・退室時にＩＤカードを読ませる複数のカードリーダ（計数装置及び個人識別装置）１、２と、照明・空調・侵入監視等の最終退室機能を行うための制御盤３と、カードリーダ１、２からの入室・退室通知を基に、最終退室状態か否かの判断等を行うコントローラ４と、カードリーダ１、２とコントローラ４とを接続する接続手段５と、制御盤３とコントローラ４とを接続する接続手段６と、カードリーダ１、２と制御盤３とを接続する接続手段７とで構成される。
【００１４】
カードリーダ１、２は、各々、入退室通知先カードリーダ登録手段１１、２１と、他カードリーダ宛入退室通知手段１２、２２と、コントローラ停止状態判断手段１３、２３と、最終退室判断手段１４、２４と、最終退室指示送出手段１５、２５とを備える。
【００１５】
入退室通知先カードリーダ登録手段１１、２１は、自カードリーダにて入退室操作が実行されたとき、入室・退室を通知する相手先のカードリーダを登録する。
【００１６】
他カードリーダ宛入退室通知手段１２、２２は、自カードリーダにて入退室操作が実行されたとき、その旨入退室先カードリーダ登録手段に登録されているカードリーダに通知する。
【００１７】
コントローラ停止状態判断手段１３、２３は、カードリーダからコントローラ４に対して定期的にメッセージを送り、コントローラ４から応答がなければコントローラ停止状態と判断する。
【００１８】
最終退室判断手段１４、２４は、自カードリーダにおける入退室操作と他カードリーダからの入室・退室通知を基に、自カードリーダが設置されている部屋が最終退室状態か否かを判断する。最終退室判断手段１４、２４は、入退室操作をカウントするカウンタを備え、入室・退室によりカウンタをカウントアップ又はカウントダウンして、カウンタが‘０’である場合には、該当する部屋が最終退室状態と判断する。
【００１９】
最終退室指示送出手段１５、２５は、最終退室判断手段１４、２４で最終退室状態と判断し、かつ、コントローラ停止状態判断手段１３、２３でコントローラ停止状態と判断したときに、制御盤３に対して最終退室制御を行うように指示する。
【００２０】
次に、上記構成を有する入退室管理システムの動作について、図１を参照しながら詳細に説明する。
【００２１】
入退室通知先カードリーダ登録手段１１、２１に、自カードリーダと同じ部屋に設置されている他のカードリーダを登録する。例えば、カードリーダ１とカードリーダ２が同じ部屋に設置されている場合には、カードリーダ１の入退室通知先カードリーダ登録手段１１にはカードリーダ２を、カードリーダ２の入退室通知先カードリーダ登録手段２１にはカードリーダ１を各々登録する。
【００２２】
コントローラ停止状態判断手段１３、２３は、コントローラ４に対して定期的にメッセージを送り、コントローラ４から応答がなければコントローラ停止状態と判断する（Ｄ１３１、Ｄ２３１）。
【００２３】
カードリーダ１、２で入退室操作が実行されたとき、最終退室判断手段１４、２４に入退・退室を通知する（Ｄ１６、Ｄ２６）と同時に、他カードリーダ宛入退室通知手段１２、２２は、入退室通知先カードリーダ登録手段１１、２１を参照し（Ｄ１１、Ｄ２１）、登録されているカードリーダ宛に入室・退室の通知を行う（Ｄ１２、Ｄ２２）。本通知（Ｄ１２、Ｄ２２）は、宛先カードリーダの最終退室判断手段１４、２４に入力される。
【００２４】
自カードリーダ又は他カードリーダから入室・退室通知（Ｄ１６、Ｄ２６、Ｄ１２、Ｄ２２）を受けた最終退室判断手段１４、２４は、入退室操作をカウントするカウンタについて、入室通知を受けたときはカウントアップし、退室通知を受けたときはカウントダウンする。そして、カウンタが‘０’のときに最終退室状態と判断する。
【００２５】
最終退室指示送出手段１５、２５は、最終退室判断手段１４、２４が最終退室状態と判断（Ｄ１４、Ｄ２４）するとともに、コントローラ停止状態判断手段１３、２３がコントローラ停止状態と判断（Ｄ１３２、Ｄ２３２）しているときに、制御盤３に対して最終退室制御を行うように指示する（Ｄ１５、Ｄ２５）。
【００２６】
制御盤３は、最終退室制御の指示（Ｄ１５、Ｄ２５）を受けると、部屋の照明をＯＮからＯＦＦ、空調をＯＮからＯＦＦ、侵入監視センサを非警戒から警戒に移行させる。
【実施例】
【００２７】
次に、上記構成を有する入退室管理システムの具体的な実施例として、図１のカードリーダ１、２が同じ部屋に設置され、カードリーダ１で入室操作が行われ、カードリーダ２で退室操作が行われる場合の動作例について説明する。
【００２８】
カードリーダ１、２の起動時に、入退室通知先カードリーダ登録手段１１にカードリーダ２を登録し、入退室通知先カードリーダ登録手段２１にカードリーダ１を登録する。
【００２９】
カードリーダ１で入室操作が行われると、最終退室判断手段１４に入室通知を行うと同時に、他カードリーダ宛入退室通知手段１２は、入退室通知先カードリーダ登録手段１１を参照し、カードリーダ２に入室通知を行う。入室通知を受けた最終退室判断手段１４、２４は、入退室操作をカウントするカウンタが‘０’から‘１’にカウントアップされたため、部屋が最終退室状態ではないと判断する。
【００３０】
カードリーダ２で退室操作が行われると、最終退室判断手段２４に退室通知を行うと同時に、他カードリーダ宛入退室通知手段２２は、入退室通知先カードリーダ登録手段２１を参照し、カードリーダ１に退室通知を行う。退室通知を受けた最終退室判断手段１４、２４は、入退室操作をカウントするカウンタが‘１’から‘０’にカウントダウンされたため、部屋が最終退室状態であると判断する。
【００３１】
次に、最終退室指示送出手段１５、２５は、最終退室判断手段１４、２４が最終退室状態と判断し、かつ、コントローラ停止状態判断手段１３、２３がコントローラ停止状態と判断しているときに、制御盤３に対して最終退室制御を行うように指示する。制御盤３は、最終退室制御の指示を受けると、部屋の照明をＯＮからＯＦＦ、空調をＯＮからＯＦＦ、侵入監視センサを非警戒から警戒に移行させる。
【００３２】
尚、上記実施の形態においては、計数機能及び個人識別機能を有するカードリーダを使用する場合を例にとって説明したが、カードリーダの代わりに、指紋照合システム等の個人識別装置を用い、この装置に計数機能を備えるようにしてもよい。また、部屋に入る場合には、個人識別装置または所定の認証システムを用いて入室を許可し、部屋から出る場合には自由に退出することができるようなシステムにおいても、部屋への入退出者を計数する複数の計数装置を備えた本発明にかかる入退室管理システムを用いることができる。
【００３３】
また、上記実施の形態においては、本来最終退室状態か否かの判断を行うとともに、その他の制御も行うコントローラ４を備える入退室管理システムを例にとって説明したが、最初から複数のカードリーダ１、２によって最終退室状態か否かの判断を行うように構成することも可能であり、この場合には、コントローラ停止状態判断手段１３、２３も不要となる。
【図面の簡単な説明】
【００３４】
【図１】本発明にかかる入退室管理システムの一実施の形態の構成を示すブロック図である。
【図２】従来の入退室管理装置の一例の構成を示すブロック図である。
【符号の説明】
【００３５】
１、２  カードリーダ
３  制御盤
４  コントローラ
５  カードリーダ−コントローラ接続手段
６  制御盤−コントローラ接続手段
７  カードリーダ−制御盤接続手段
１１、２１  入退室通知先カードリーダ登録手段
１２、２２  他カードリーダ宛入退室通知手段
１３、２３  コントローラ停止状態判断手段
１４、２４  最終退室判断手段
１５、２５  最終退室指示送出手段
【図１】
2006236164.tif 000003
【図２】
2006236164.tif 000004